(57)【特許請求の範囲】
【請求項１】
セットされた複数原稿の１回のプリスキャンで得た画像に対して別々のセットアップ条件を複数個設定し、この設定した個数分本スキャン分解する画像入力方法であり、
分解する原稿サイズより大きくかつ複数枚のサイズの異なる原稿をランダムに配置可能な透過カセットまたは反射領域に原稿を複数枚でランダムにセットし、
プリスキャンにより得られた複数原稿の画像をＣＲＴに表示し、
表示された複数原稿の画像の各々をトリミングし、
トリミングされ画像の各々について、別々のセットアップ条件で連続画像分解を行い、
各々の原稿毎にセットアップ条件をＣＲＴ上に表示することが可能であることを特徴とする画像入力方法。
【請求項２】
複数原稿がセットされた原稿画をスキャンするスキャン手段と、
画像を表示するＣＲＴと、
前記スキャン手段を制御してプリスキャンさせ、プリスキャンにより得た複数原稿の画像に対して別々のセットアップ条件を複数個設定し、この設定した個数分、前記スキャン手段を制御して本スキャン画像分解を行うコントローラとを有し、
前記スキャン手段が、本スキャン分解する原稿のサイズより大きくかつ複数枚のサイズ異なる原稿のランダムに配置可能な透過カセットまたは反射領域に原稿を複数枚でランダムな位置セットできるものであり、
前記ＣＲＴは、ランダムにセットされた複数原稿の画像を表示し、前記ＣＲＴに表示された複数原稿の画像のトリミングに基づいて、前記コントローラがトリミングされたプリスキャン画像毎に別々のセットアップ条件を前記ＣＲＴに表示させることを特徴とする画像入力装置。
【発明の詳細な説明】
【０００１】
【産業上の利用分野】
この発明は、例えば、製版工程に用いられる画像入力装置に関するものである。
【０００２】
【従来の技術】
画像入力装置は、例えば製版工程に用いられ、１回の原稿セットで複数枚の原稿の本スキャンを行なう場合がある。この場合には、透過モードで画像入力する場合、例えば４×５ｃｍのカセットに３５ｍｍフィルム６枚、または４枚セット可能としているが、原稿のセット位置は黒枠でかこまれた決められた場所であった。
【０００３】
また、反射モードで画像入力する場合においても、例えばＡ３サイズの反射領域に複数枚セット可能であるが、決められた場所に原稿をセットしている。
【０００４】
【発明が解決しようとする課題】
ところで、透過モードで画像入力する場合でも、あるいは反射モードで画像入力する場合でも、始め決定された原稿位置及びサイズでしか原稿をセットすることができず、決められたサイズと異なる原稿を分解する場合には連続画像分解が行えなかった。
【０００５】
また、１回のプリスキャンで同一または別々のセットアップ条件（倍率、角度、色分解条件、シャープネス、トリミング、解像度）を複数個設定し、設定した複数回本スキャンする場合に、特にドラムスキャナでは角度を可変して分解することができなかった。
【０００６】
この発明は、かかる点に鑑みてなされたもので、連続画像分解を行なうことができ、また原稿セットの自由度を高め、さらに原稿を副走査方向を短辺に配置することで分解時間を短縮することが可能な画像入力方法及び画像入力装置を提供することを目的としている。
【０００７】
【課題を解決するための手段】
前記課題を解決するために、請求項１に記載の発明の画像入力方法は、セットされた複数原稿の１回のプリスキャンで得た画像に対して別々のセットアップ条件を複数個設定し、この設定した個数分本スキャン分解する画像入力方法であり、
分解する原稿サイズより大きくかつ複数枚のサイズの異なる原稿をランダムに配置可能な透過カセットまたは反射領域に原稿を複数枚でランダムにセットし、
プリスキャンにより得られた複数原稿の画像をＣＲＴに表示し、
表示された複数原稿の画像の各々をトリミングし、
トリミングされ画像の各々について、別々のセットアップ条件で連続画像分解を行い、
各々の原稿毎にセットアップ条件をＣＲＴ上に表示することが可能であることを特徴としている。
【０００８】
請求項２に記載の発明の画像入力装置は、複数原稿がセットされ原稿画像をスキャンするスキャン手段と、
画像を表示するＣＲＴと、
前記スキャン手段を制御してプリスキャンさせ、プリスキャンにより得た複数原稿の画像に対して別々のセットアップ条件を複数個設定し、この設定した個数分、前記スキャン手段を制御して本スキャン画像分解を行うコントローラとを有し、
前記スキャン手段が、本スキャン分解する原稿のサイズより大きくかつ複数枚のサイズ異なる原稿のランダムに配置可能な透過カセットまたは反射領域に原稿を複数枚でランダムな位置セットできるものであり、
前記ＣＲＴは、ランダムにセットされた複数原稿の画像を表示し、前記ＣＲＴに表示された複数原稿の画像のトリミングに基づいて、前記コントローラがトリミングされたプリスキャン画像毎に別々のセットアップ条件を前記ＣＲＴに表示させることを特徴としている。
【０００９】
【作用】
請求項１及び請求項２に記載の発明では、複数原稿がセットされ１回のプリスキャンで別々のセットアップ条件を複数個設定し、複数個数分本スキャン分解を行ない、連続画像分解を行なうことができる。
また、分解する原稿サイズより大きくかつ複数枚のサイズの異なる原稿をランダムに配置可能な透過カセットまたは反射領域に原稿を複数枚でランダムな位置にセットし、各々の原稿に各々のセットアップ条件を設定する際に、トリミングで各々の原稿の分解領域を区分けし、各々の原稿毎にセットアップ条件をＣＲＴ上に表示し、連続画像分解ができる。このように、分解する原稿より大きな透過カセットや反射領域に複数枚の原稿をセットする場合にランダムなサイズの原稿をランダムな位置に配置することができ、原稿セットの自由度が向上する。さらに、原稿は、副走査方向を短辺に配置することができ、分解時間を短縮することが可能となる。
【００１１】
【実施例】
以下、この発明の画像入力装置の実施例について説明する。図１は画像入力装置の概略構成図、図２はコントローラ部の構成図、図３は透過入力部及び画像処理部の構成図、図４は透過入力部からの入力画面をＣＲＴに表示する図、図５は反射入力部の構成図、図６は反射入力部からの入力画面をＣＲＴに表示する図である。
【００１２】
この画像入力装置は、例えば製版工程に代表して用いられ、図１に示すように、コントローラ部１、画像処理部２、透過入力部３及び反射入力部４から構成されている。
【００１３】
コントローラ部１は、図２に示すように、コントローラ１０、ＣＲＴ１１、マウス１２及びキーボード１３から構成されている。コントローラ部１は、画像処理部２、透過入力部３及び反射入力部４を制御し、透過入力部３及び反射入力部４でプリスキャンした画像はＣＲＴ１１に表示され、倍率、角度、色分解条件の設定、シープネス、トリミング、解像度のセットアップ条件の設定を行う。
【００１４】
コントローラ１０は、例えばパーソナルコンピュータ内蔵のハードデイスクにシステムコントロール用のソフトウエアがプリインストールされており、拡張スロットに装着されたパラレルインターフェースボードを通して、画像処理部２と通信を行なうように構成されている。ＣＲＴ１１は、画面上で原稿のイメージを確認するために使用し、コントローラ１０に装着されたフルカラーグラフイックボードを介して接続されている。マウス１２及びキーボード１３は、コントローラ１０を操作するための入力装置として使用する。
【００１５】
透過入力部３及び画像処理部２は、図３に示すように構成され、画像処理部２の上部に透過入力部３が配置され、透過入力部３の側部に透過カセット３０を挿入するためのカセット挿入部３１が設けられている。透過カセット３０は、止め金３２を外し、透過カセット３０を開き、スキャンする原稿Ｇ（リバーサルフィルム）を乗せ、透過カセット３０を閉め、カセット挿入部３１から挿入される。
【００１６】
例えば、図３に示すように、ブローニ（６×９ｃｍ）用の透過カセット３０に３５ｍｍフィルムを３枚（１〜４枚どれでも可能）入れ、この透過カセット３０をカセット挿入部３１から透過入力部３に挿入する。透過カセット３０内の原稿Ｇのフィルムの位置、枚数はランダムで良い。
【００１７】
透過入力部３により透過カセット３０の原稿Ｇをプリスキャンすると、ＣＲＴ１１上には図４のように３枚の原稿画像Ｇ１が出力される。
【００１８】
オペレータは、マルチ分解モードを選択し、コントローラ部１のマウス１２及びキーボード１３により図４に示すように太線の範囲Ｅをトリミングする。トリミングは、原稿Ｇの一部を切り出して色分解する場合に、その出力領域の設定することであり、トリミングし、セットアップ条件をマルチ分解モードで、各々設定すると、この透過カセット３０内の画像は３回本スキャン時各々の分解条件で画像分解される。このマルチ分解モードにより、１回のプリスキャンで得られた原稿画像に対して、異なった分解条件を設定することができるので、分解条件を決定するために繰り返しプリスキャンする手間が省ける。
【００１９】
反射入力部４は、図５に示すように、カバー４０を開けて原稿台４１の反射領域４２に原稿Ｇをセットする。原稿Ｇのサイズ、枚数は原稿台４１に載せられるだけ可能である。カバー４０を閉じて原稿Ｇをスキャンすると、ＣＲＴ１１上には図６の５枚の原稿画像Ｇ２が出力される。
【００２０】
オペレータは、透過入力と同様に、コントローラ部１のマウス１２及びキーボード１３により図６に示すように太線の範囲Ｅをトリミングし、セットアップ条件を各々マルチ分解モードで設定すると、画像Ｇは５回本スキャン時各々の分解条件で画像分解される。
【００２１】
このように、１回のプリスキャンで同一または別々のセットアップ条件を複数個設定し、マルチ分解モードにより設定した複数回本スキャン分解を行なうことで、連続画像分解を行なうことができ、例えば画像処理部２より画像処理システムやイメージセッター等へ出力する。
【００２２】
また、分解する原稿Ｇのサイズより大きな透過カセット３０や反射領域に原稿Ｇを複数枚セットし、各々の原稿Ｇに各々のセットアップ条件を設定する際に、トリミングで各々の原稿Ｇの分解領域を区分けし、マルチ分解モードで連続画像分解が可能となる。
【００２３】
分解する原稿Ｇより大きな透過カセット３０や反射領域４２に複数枚の原稿Ｇをセットする場合にランダムなサイズの原稿Ｇをランダムな位置に配置することを可能とし、原稿セットの自由度を高めることができる。さらに、原稿Ｇは、副走査方向を短辺に配置することで分解時間を短縮することが可能となる。上記の原稿はリバーサルフィルムを用いたが、ネガフィルムであってもかまわない。
【００２４】
また、ここで、透過カセット３０内または、原稿台４１上に複数原稿Ｇがセットされたとき、自動的にマルチ分解ボードを選択して、各原稿毎にセットアップ条件を対字方式にＣＲＴ上で、オペレータに聞くようにする。
【００２５】
【発明の効果】
前記したように、請求項１及び請求項２に記載の発明は、複数原稿がセットされ１回のプリスキャンして得た画像に対して別々のセットアップ条件を複数個設定し、この設定した個数分本スキャン分解するから、１回のプリスキャンで別々のセットアップ条件を複数個設定し、複数回本スキャン分解を行ない、連続画像分解を行なうことができる。
分解する原稿サイズより大きくかつ複数枚のサイズの異なる原稿をランダムに配置可能な透過カセットまたは反射領域に原稿を複数枚でランダムな位置にセットし、各々の原稿をトリミングにより別々のセットアップ条件で連続画像分解を行なうから、分解する原稿サイズより大きな透過カセットや反射領域に原稿を複数枚セットし、各々の原稿に各々のセットアップ条件を設定する際に、トリミングで各々の原稿の分解領域を区分けし、各々の原稿毎にセットアップ条件をＣＲＴ上に表示し、連続画像分解を可能である。従って、分解する原稿より大きな透過カセットや反射領域に複数枚の原稿をセットする場合にランダムなサイズの原稿をランダムな位置に配置することが可能で、原稿セットの自由度を高めることができる。さらに、原稿は、副走査方向を短辺に配置することで分解時間を短縮することが可能となる。
【図面の簡単な説明】
【図１】画像入力装置の概略構成図である。
【図２】コントローラ部の構成図である。
【図３】透過入力部及び画像処理部の構成図である。
【図４】透過入力部からの入力画面をＣＲＴに表示する図である。
【図５】反射入力部の構成図である。
【図６】反射入力部からの入力画面をＣＲＴに表示する図である。
【符号の説明】
１  コントローラ部
２  画像処理部
３  透過入力部
４  反射入力部
【図１】
0003995277.tif 000002
【図２】
0003995277.tif 000003
【図３】
0003995277.tif 000004
【図４】
0003995277.tif 000005
【図５】
0003995277.tif 000006
【図６】
0003995277.tif 000007